(57)【特許請求の範囲】
【請求項１】
熱交換器と、
この熱交換器の下方に配置されたドレンパンとを具備し、
前記ドレンパンは、内部に、上端縁がドレンパン本体の上端縁より低い位置となる仕切板で仕切られ前記熱交換器から滴下したドレン水を受ける主流樋と、
この主流樋の外周に配置され前記主流樋の前記仕切板外壁面で発生した結露水を回収する補助樋と、その長手方向の両側に、前記ドレン水又は前記結露水を排出する排水口と、その一端部が前記排水口に接続され、他端部が前記主流樋に接続された流路と、この流路の前記一端部と前記他端部との間に設けられ前記補助樋に接続された合流孔とが設けられ、一側に前記流路に前記排水口側から挿入され、前記ドレン水又は前記結露水を排出するドレンホースと、他側に前記流路に前記排水口側から挿入され、前記排水口を液密に閉塞する脱着自在のドレンキャップとを備えていることを特徴とする空気調和機。
【請求項２】
前記ドレンキャップは、
前記流路内の前記一端部と前記他端部との間に配置された本体と、
この本体の前記合流孔と前記他端部との間に設けられ、前記合流孔と前記主流樋とを液密に閉塞する第１のパッキングと、
前記本体の前記排水口側に設けられ、前記排水口を液密に閉塞する第２のパッキングとを備えていることを特徴とする請求項１に記載の空気調和機。
【発明の詳細な説明】
【０００１】
【発明の属する技術分野】
本発明は、空気調和機に関し、特に熱交換器からのドレン水等を回収するドレンパンの構造に関する。
【０００２】
【従来の技術】
空気調和機においては、熱交換器にて発生するドレン水を回収するために熱交換器の下方にドレンパンを配置し、このドレンパンの底部に設けられた排水口からドレンホース等を介して空気調和機の外部に排出するようにしていた。一方、ドレンパンに溜められるドレン水によりドレンパン外壁に結露が生じないようにドレンパンに断熱材を貼付していた。
【０００３】
【発明が解決しようとする課題】
上記した従来のドレンパンの構造を有する空気調和機にあっては次のような問題があった。すなわち、ドレンパンに貼付した断熱材の貼付不具合により、断熱材の一部が剥がれると、前パネル等の嵌合部品に干渉し、組立不具合が発生する虞があった。また、断熱材のコストがかかるとともに、貼付工程が必要となり、結果的に製造コストが増大するという問題があった。
そこで本発明は、断熱材を用いることなくドレンパンの結露水の滴下を防止することができる空気調和機を提供することを目的としている。
【０００４】
【課題を解決するための手段】
上記課題を解決し目的を達成するために、請求項１に記載された発明は、熱交換器と、この熱交換器の下方に配置されたドレンパンとを具備し、前記ドレンパンは、前記熱交換器から滴下したドレン水を受ける主流樋と、この主流樋の外周に配置され前記主流樋の外壁面で発生した結露水を回収する補助樋と、その長手方向の両側に、前記ドレン水又は前記結露水を排出する排水口と、その一端部が前記排水口に接続され、他端部が前記主流樋に接続された流路と、この流路の前記一端部と前記他端部との間に設けられ前記補助樋に接続された合流孔とが設けられ、一側に前記流路に前記排水口側から挿入され、前記ドレン水又は前記結露水を排出するドレンホースと、他側に前記流路に前記排水口側から挿入され、前記排水口を液密に閉塞する脱着自在のドレンキャップとを備えるようにした。
【０００７】
請求項２に記載された発明は、請求項１に記載された発明において、前記ドレンキャップは、前記流路内の前記一端部と前記他端部との間に配置された本体と、この本体の前記合流孔と前記他端部との間に設けられ、前記合流孔と前記主流樋とを液密に閉塞する第１のパッキングと、前記本体の前記排水口外部に設けられ、前記排水口を液密に閉塞する第２のパッキングとを備えている。
【０００８】
上記手段を講じた結果、次のような作用が生じる。すなわち、請求項１に記載された発明によれば、熱交換器の下方に配置されたドレンパンは、主流樋により熱交換器から滴下したドレン水を受け、空気断熱層を兼ねた補助樋により主流樋の外壁面で発生した結露水を回収するようにしているので、断熱材を設けなくとも結露水が空気調和機外部に滴下することを防止することができる。
【００１１】
請求項２に記載された発明によれば、第１のパッキングにより合流孔と主流樋とを液密に閉塞し、第２のパッキングにより排水口を液密に閉塞するようにしているので、主流樋と補助樋との連通を防止し、かつ、排水口を閉塞することができるとともに、ドレンキャップの本体を流路に挿入する際の摩擦抵抗を軽減することができ、挿入性を向上させることができる。
【００１２】
【発明の実施の形態】
図１は本発明の第１の実施の形態に係る空気調和機１０の要部を示す断面図である。空気調和機１０は、熱交換器２０と、この熱交換器２０の下方に配置されたドレンパン３０とを備えている。
【００１３】
ドレンパン３０は、熱交換器２０に沿って配置されたドレンパン本体３１を備えている。ドレンパン本体３１の底板３２は図３に示すように、空気調和機１０の前面側から背面側にかけて緩やかな勾配が形成されている。また、ドレンパン本体３１の両端部３１a ，３１ｂ（３１ｂは不図示）の底板３２の最も低い位置には排水口３３a ，３３ｂ（３３ｂは不図示）が形成されている。また、排水口３３a ，３３ｂには後述する主流樋４１に連通させるための円筒状の部材３４が形成されて、流路Ｒを形成している。なお、排水口３３ａは後述するドレンキャップ５０により閉塞され、排水口３３ｂはドレンホース（不図示）が接続されている。
【００１４】
ドレンパン本体３１は、熱交換器２０と平行に延設された仕切り板４０によって仕切られている。なお、仕切り板４０の上端縁４０ｂは、上述したドレンパン本体３１の上端縁３１ｃより低い位置となるように形成されている。
【００１５】
一方、仕切り板４０の図１中右側は、熱交換器２０からのドレン水を直接受ける主流樋４１となっており、仕切り板４０の図１中左側は、熱交換器２０からのドレン水が滴下しない補助樋４２となっている。
【００１６】
仕切り板４０は、図２の（ａ），（ｂ）に示すように、ドレンパン本体３１の両端部３１ａ，３１ｂの補助樋４２が部材３４の側壁３４ａに連通するように、折曲部４０ａが形成されている。なお、図３中３５は側壁３４ａに形成された合流孔を示している。この流路Ｒの合流孔３５に対応する合流位置Ｇで後述するようにして主流樋４１からのドレン水と補助樋４２からの結露水が合流する。
【００１７】
排水口３３ａには、図３に示すようにドレンキャップ５０が挿入されている。ここではドレンパン３０のドレン水又は結露水を図示しない一側の排水口３３ｂからドレンホースによって排水するので、他側の排水口３３ａは、ドレンキャップ５０によって閉塞される。ドレンキャップ５０は、排水口３３ａ側から流路Ｒ内に挿入される円柱状のキャップ本体５１と、このキャップ本体５１の先端（他端）側に設けられ流路Ｒ内壁に接して流路Ｒを液密に閉塞する突起部（第１のパッキング）５２と、キャップ本体５１の排水口３３ａ側に設けられ排水口３３ａ内壁に接して排水口３３ａを液密に閉塞する突起部（第２のパッキング）５３とを備えている。
【００１８】
このように構成された空気調和機１０においては、次のようにして熱交換器２０から滴下したドレン水を回収する。すなわち、空気調和機１０を運転すると熱交換器２０からドレン水が主流樋４１内に滴下する。ドレン水は冷却されているので、仕切り板４０の補助樋４２側に結露する。この結露による結露水は補助樋４２によって回収される。
【００１９】
主流樋４１内のドレン水はドレンパン本体３１の底板３２に沿って流れ落ち、流路Ｒの入口Ｒ′まで案内される。また、補助樋４２内の結露水はドレンパン本体３１の底板３２に沿って流れ落ち、合流孔３５まで案内される。
【００２０】
排水口３３ａは、上述したようにドレンキャップ５０にて閉塞されている。このとき、流路Ｒの入口Ｒ′と合流孔３５との間には突起部５２により液密に閉塞されているので、主流樋４１と補助樋４２とが連通することはない。したがって、主流樋４１おいて回収されたドレン水が補助樋４２に流入し、補助樋４２の外壁、すなわちドレンパン３０に結露を生じることはない。また、突起部５３により排水口３３ａは閉塞されているので、主流樋４１からのドレン水及び補助樋４２からの結露水が排水口３３ａからドレンパン３０外部に漏れることはない。
【００２１】
ドレンキャップ５０は、突起部５２及び突起部５３のみが部材３４内壁に接しているので、着脱する際の摩擦抵抗が軽減されており、挿入性が高い。
なお、排水口３３ｂにおいては、ドレンキャップ５０が装着されていないので、主流樋４１からのドレン水と補助樋４２からの結露水が合流位置Ｇにて合流しドレンホースを介して空気調和機１０外部に排出されることとなる。なお、合流位置Ｇは、底板３２の最も低い位置に位置しているので、主流樋４１からのドレン水が補助樋４２へ逆流することはない。
【００２２】
一方、仕切り板４０の上端縁４０ｂは、ドレンパン本体３１の上端縁３１ｃよりも低いので、何らかの原因で排水口３３ｂ側の合流孔３５が閉塞されて補助樋４２に結露水が溢れた場合であっても結露水を主流樋４１側に流入させることができる。
【００２３】
上述したように本実施の形態に係る空気調和機１０においては、熱交換器２０から滴下したドレン水によりドレンパンに発生する結露水を回収するようにしているので、ドレンパンの結露を防止するための断熱材は不要となる。したがって、空気調和機１０の組立工程が減るとともに、製造コストを削減することができる。
【００２４】
また、主流樋４１から補助樋４２へのドレン水の流入を防止するようにしているので、補助樋４２にドレン水が溜まることによるドレンパン３１本体の結露を防止することができる。
なお、本発明は前記実施の形態に限定されるものではなく、本発明の要旨を逸脱しない範囲で種々変形実施可能であるのは勿論である。
【００２５】
【発明の効果】
請求項１に記載された発明によれば、断熱材を設けなくとも結露水が空気調和機外部に滴下することを防止することができる。
請求項２に記載された発明によれば、主流樋内のドレン水が補助樋に流入することを防止でき、補助樋の外壁面に結露水が発生することを防止することができる。
【００２７】
請求項２に記載された発明によれば、主流樋と補助樋との連通を防止し、かつ、排水口を閉塞することができるとともに、ドレンキャップの本体を流路に挿入する際の摩擦抵抗を軽減することができ、挿入性を向上させることができる。
【図面の簡単な説明】
【図１】本発明の実施の形態に係る空気調和機の要部を示す断面図。
【図２】同空気調和機に組み込まれたドレンパンの要部を示す図であって、（ａ）は斜視図、（ｂ）は平面図。
【図３】同ドレンパンを一部切欠した側面図。
【図１】
0003657722.tif 000002
【図２】
0003657722.tif 000003
【図３】
0003657722.tif 000004